(57)【要約】  汚れ分散剤、及びカチオン性に帯電している被覆を含むマイクロカプセルを含む、液体洗浄組成物。本組成物は、マイクロカプセルの送達効率の向上をもたらす。加えて、布地を前処理するための、かかる液体洗浄組成物の使用も開示する。【特許請求の範囲】
【請求項１】
液体洗浄組成物であって、
ａ）アルキレンアミン主鎖と、アルキレンアミン主鎖の窒素原子に結合した側鎖とを含む汚れ分散剤であって、前記側鎖が式（Ｉ）のものである汚れ分散剤を、前記組成物の約０．５重量％〜約５重量％、
−（ＥＯ）ｂ（ＰＯ）ｃ      （Ｉ）
［式中、ｂは３〜６０の範囲であり、ｃは０〜６０の範囲である］；並びに
ｂ）マイクロカプセルを前記組成物の約０．１１重量％〜約０．２５重量％、含み、前記マイクロカプセルは、外側表面を含むシェル、前記シェルに封入されたコア、及び前記外側表面を被覆する被覆、を含み、前記被覆はカチオン性に帯電している、組成物。
【請求項２】
前記汚れ分散剤が：
ポリエチレンイミン（ＰＥＩ）を主鎖とし、該ＰＥＩ主鎖の窒素原子に結合した式（Ｉ）の側鎖を有する、ポリエチレンイミンエトキシレート
−（ＥＯ）ｂ（ＰＯ）ｃ  （Ｉ）
［式中、ｂは３〜６０の範囲であり、ｃは０〜６０の範囲である］；
式（ＩＩ）の化合物、
【化１】
2017538009.tif 000012
［式中、Ｒは、式（ＩＩＩ）：
−（ＥＯ）ｎＲ４      （ＩＩＩ）
のエチレンオキシ単位であり、ｎは、１０〜４０の範囲であり；Ｒ４は、水素、アニオン性単位、又はこれらの組み合わせであり、Ｑは、Ｃ１〜Ｃ８線状アルキル、Ｃ３〜Ｃ８分岐アルキル、ベンジル、及びこれらの混合物からなる群から独立して選択された四級化単位であり；Ｘは水溶性アニオンである］；並びに
これらの組み合わせ、からなる群から選択される化合物を含む、請求項１に記載の組成物。
【請求項３】
前記ポリエチレンイミンエトキシレートが、平均して約３００〜約３，０００の数平均分子量ＭＷｎのＰＥＩ主鎖を有し、ｂは１５〜３５の範囲であり、ｃは０である、請求項２に記載の組成物。
【請求項４】
前記ポリエチレンイミンエトキシレートが、ＭＷｎが約３００〜約３，０００の範囲であるＰＥＩ主鎖を有し、ｂが１５〜３５の範囲であり、ｃが１０〜２５の範囲である、請求項２に記載の組成物。
【請求項５】
式（ＩＩＩ）の化合物が式（ＩＶ）：
【化２】
2017538009.tif 000013
のものである、請求項２に記載の組成物。
【請求項６】
前記シェルがメラミンホルムアルデヒドを含む、請求項１に記載の組成物。
【請求項７】
前記被覆が、式（Ｖ）の効率ポリマーを含み、
【化３】
2017538009.tif 000014
式中、
ｄ）ａ及びｂはそれぞれ独立して５０〜１００，０００の範囲のものであり；
ｅ）各Ｒ１は、Ｈ、ＣＨ３、（Ｃ＝Ｏ）Ｈ、アルキレン、不飽和Ｃ−Ｃ結合を有するアルキレン、ＣＨ２−ＣＲＯＨ、（Ｃ＝Ｏ）−ＮＨ−Ｒ、（Ｃ＝Ｏ）−（ＣＨ２）ｎ−ＯＨ、（Ｃ＝Ｏ）−Ｒ、（ＣＨ２）ｎ−Ｅ、−（ＣＨ２−ＣＨ（Ｃ＝Ｏ））ｎ−ＸＲ、−（ＣＨ２）ｎ−ＣＯＯＨ、−（ＣＨ２）ｎ−ＮＨ２、又は−ＣＨ２）ｎ−（Ｃ＝Ｏ）ＮＨ２から独立して選択され、添字ｎは０〜２４の範囲であり、Ｅは求電子性基であり、Ｒは飽和又は不飽和アルカン、ジアルキルシロキシ、ジアルキルオキシ、アリール、又はアルキル化アリールであり、好ましくは、シアノ、ＯＨ、ＣＯＯＨ、ＮＨ２、ＮＨＲ、スルホネート、スルファート、−ＮＨ２、四級化アミン、チオール、アルデヒド、アルコキシ、ピロリドン、ピリジン、イミダゾール、イミダゾリウムハロゲン塩、グアニジン、ホスフェート、単糖、オリゴ糖、多糖、及びこれらの組み合わせからなる群から選択される部分を更に含有し；
ｆ）  Ｒ２又はＲ３は存在せず又は存在し：
（ｉ）  Ｒ３が存在するとき、各Ｒ２は独立して−ＮＨ２、−ＣＯＯ−、−（Ｃ＝Ｏ）−、−Ｏ−、−Ｓ−、−ＮＨ−（Ｃ＝Ｏ）−、−ＮＲ１−、ジアルキルシロキシ、ジアルキルオキシ、フェニレン、ナフタレン、又はアルキレンオキシから選択され；各Ｒ３は、独立してＲ１と同じ基から選択され；
（ｉｉ）Ｒ３が存在しないとき、各Ｒ２は独立して−ＮＨ２、−ＣＯＯ−、−（Ｃ＝Ｏ）−、−Ｏ−、−Ｓ−、−ＮＨ−（Ｃ＝Ｏ）−、−ＮＲ１−、ジアルキルシロキシ、ジアルキルオキシ、フェニレン、ナフタレン、又はアルキレンオキシから選択され；及び
（ｉｉｉ）Ｒ２が存在しない場合、各Ｒ３はＲ１と同様の群から独立して選択され；並びに
前記効率ポリマーの平均分子質量は約１，０００Ｄａ〜約５０，０００，０００Ｄａであり；加水分解度は約５重量％〜約９５％であり；及び／又は電荷密度は約１ｍｅｑ／ｇ〜約２３ｍｅｑ／ｇである、請求項１に記載の組成物。
【請求項８】
前記効率ポリマーは、ポリビニルアミン、ポリビニルホルムアミド、ポリアリルアミン、及びこれらのコポリマーからなる群から選択される、請求項７に記載の組成物。
【請求項９】
前記コアが香料油を含む、請求項１に記載の組成物。
【請求項１０】
ヒドロキシル含有結晶質材料、ポリアクリレート、多糖、ポリカルボキシレート、アルカリ金属塩、アルカリ土類金属、アンモニウム塩、アルカノールアンモニウム塩、Ｃ１２〜Ｃ２０脂肪酸アルコール、ジベンジリデンポリオールアセタール誘導体、ジアミノ没食子酸、メタクリルアミドに由来する第１の構造単位及びジアリルジメチルアンモニウムクロリドに由来する第２の構造単位を含むカチオン性ポリマー、及びこれらの組み合わせからなる群から選択されるレオロジー改質剤を更に含む、請求項１に記載の組成物。
【請求項１１】
ａ）前記汚れ分散剤として、ＰＥＩを主鎖とし、ＰＥＩ主鎖の窒素原子に結合した式（Ｉ）の側鎖を１つ以上有する、ポリエチレンイミンエトキシレートを、前記組成物の約０．８重量％〜約３重量％、
−（ＥＯ）ｂ（ＰＯ）ｃ      （Ｉ）
［式中、ポリエチレンイミンエトキシレートはＭＷｎが約３００〜約３，０００の範囲であるＰＥＩ主鎖を有し、ｂは１５〜３５の範囲であり、ｃは０である］；
ｂ）前記被覆がポリビニルホルムアミドを効率ポリマーとして含む、前記マイクロカプセルを約０．１１重量％〜約０．２５重量％；並びに
ｃ）水添ヒマシ油を前記組成物の０．０５重量％〜１重量％、
を含む、請求項１に記載の組成物。
【請求項１２】
布地を前処理するための、請求項１〜１１のいずれか一項に記載の液体洗浄組成物の使用。
【請求項１３】
布地を前処理するための液体洗浄組成物の使用であって、前記組成物が、
ａ）アルキレンアミン主鎖と、アルキレンアミン主鎖の窒素原子に結合した側鎖とを含む、汚れ分散剤であって、側鎖は式（Ｉ）のものである、汚れ分散剤、
−（ＥＯ）ｂ（ＰＯ）ｃ      （Ｉ）
［式中、ｂは３〜６０の範囲であり、ｃは０〜６０の範囲である］；並びに
ｂ）マイクロカプセル、を含み、前記マイクロカプセルは、外側表面を含むシェル、前記シェルに封入されたコア、及び前記外側表面を被覆する被覆、を含み、前記被覆はカチオン性に帯電している、使用。
【発明の詳細な説明】
【技術分野】
【０００１】
本発明は、液体洗浄組成物に関する。本発明は、布地を前処理するための液体洗浄組成物の使用にも関する。
【発明の概要】
【課題を解決するための手段】
【０００２】
一態様では、本発明は、
ａ）アルキレンアミン主鎖と、アルキレンアミン主鎖の窒素原子に結合した側鎖とを含む、汚れ分散剤であって、側鎖が式（Ｉ）のものである汚れ分散剤を、組成物の０．５重量％〜５重量％
−（ＥＯ）ｂ（ＰＯ）ｃ      （Ｉ）
［式中、ｂは３〜６０の範囲であり、ｃは０〜６０の範囲である］；及び
ｂ）マイクロカプセルを組成物の０．１１重量％〜０．２５重量％、含む、液体洗浄組成物に関し、マイクロカプセルは、外側表面を含むシェル、シェルに封入されたコア、及び外側表面を被覆する被覆、を含み、被覆はカチオン性に帯電している。
【０００３】
別の態様では、本発明は、布地を前処理するための、前述の液体洗浄組成物の使用に関する。
【０００４】
更に別の態様では、本発明は、布地を前処理するための液体洗浄組成物の使用に関し、組成物は、
ａ）アルキレンアミン主鎖と、アルキレンアミン主鎖の窒素原子に結合した側鎖とを含む、汚れ分散剤であって、側鎖が式（Ｉ）のものであル、汚れ分散剤、
−（ＥＯ）ｂ（ＰＯ）ｃ      （Ｉ）
［式中、ｂは３〜６０の範囲であり、ｃは０〜６０の範囲である］；並びに
ｂ）マイクロカプセル、を含む、液体洗浄組成物に関し、マイクロカプセルは、外側表面を含むシェル、シェルに封入されたコア、及び外側表面を被覆する被覆、を含み、被覆はカチオン性に帯電している。
【０００５】
本発明の液体洗浄組成物は、その他の利点の中でも、マイクロカプセルの送達効率の改善を提供する。
【発明を実施するための形態】
【０００６】
定義
本明細書で使用するとき、用語「液体洗浄組成物」は、布地ケア、ホームケア、スキンケア、及びヘアケアの分野において、布地、硬質若しくは軟質表面、皮膚、毛髪、又は任意のその他表面の洗浄又は処理に関する液体組成物を意味する。洗浄組成物の例としては、洗濯洗剤、洗濯洗剤添加剤、布地柔軟剤、カーペットクリーナー、床クリーナー、風呂場クリーナー、トイレクリーナー、シンククリーナー、食器洗浄洗剤、空気ケア、車ケア、皮膚保湿剤、皮膚洗浄剤、皮膚トリートメントエマルジョン、シェービングクリーム、毛髪用シャンプー、毛髪用コンディショナーなどが挙げられるがこれらに限定されない。好ましくは、液体洗浄組成物は、液体洗濯洗剤組成物、液体布地柔軟剤組成物、液体食器用洗剤組成物、又は毛髪用シャンプーであり、より好ましくは、液体洗濯洗剤組成物である。本明細書において、用語「液体洗浄組成物」は、「注ぐことが可能な液体」、「ゲル」、「クリーム」、及びこれらの組み合わせからなる群から選択される形態である組成物を指す。液体洗浄組成物は、水性であっても非水性であってよく、異方性、等方性、又はこれらの組み合わせであってよい。
【０００７】
本明細書で使用するとき、用語「アルキル」は、分岐鎖又は非分岐鎖、置換又は非置換であるヒドロカルビル部分を意味する。用語「アルキル」には、アシル基のアルキル部分が含まれる。
【０００８】
本明細書で使用するとき、用語「前処理」は、使用者のクリーニングアクティビティのうち、布地、特に、しつこい汚れを有する布の部分を事前（すなわち、洗浄サイクル前）に洗浄組成物により処理するという種類のものを指す。前処理では組成物の濃度が比較的高く（洗浄溶液における濃度よりも高い）、まさに汚れが標的とされることから、典型的には、しつこい汚れは前処理することでより容易に除去される。
【０００９】
本明細書で使用するとき、組成物が特定の成分を「実質的に含まない」ときとは、その組成物が、微量に満たない、あるいは組成物の０．１重量％未満、あるいは０．０１重量％未満、あるいは０．００１重量％の特定成分を含むことを意味する。
【００１０】
本明細書で使用するとき、「ａ」及び「ａｎ」を含む冠詞は、特許請求の範囲で使用されるとき、特許請求又は記載されるもののうちの１つ以上を意味するものと理解される。
【００１１】
本明細書で使用するとき、用語「含む（comprise、comprises、comprising）」、「包含する（include、includes、including）」、「含有する（contain、contains、containing）」は、非限定的である、すなわち、最終結果に影響を及ぼすことのない他の工程及び他の成分を加えることができることを指す。上記用語には、「からなる」及び「から本質的になる」という用語が包含される。
【００１２】
液体洗浄組成物
本発明の液体洗浄組成物は、エチレンイミンと特定の繰り返し単位とを含む汚れ分散剤と、外側表面を含むシェル、シェルに封入されたコア、及び外側表面を被覆する被覆を含むマイクロカプセルとを含み、被覆はカチオン性に帯電している。一実施形態では、汚れ分散剤は、組成物の０．５重量％〜５重量％、好ましくは０．６重量％〜４重量％、より好ましくは０．８重量％〜３重量％の量で組成物中に存在する。一実施形態では、マイクロカプセルは、組成物の０．１１重量％〜０．２５重量％、好ましくは０．１５重量％〜０．２重量％の量で組成物中に存在する。本発明では、カチオン性に帯電した被覆はマイクロカプセルの堆積を向上させることから、本発明の組成物は、マイクロカプセルの送達効率を同等に維持しながら、組成物中のマイクロカプセルの量を相対的に低減することができる。
【００１３】
本明細書に記載の液体洗浄組成物は、組成物に組み込まれる成分に応じて、酸性又はアルカリ性又は中性のｐＨであってよい。液体洗浄組成物のｐＨ範囲は、好ましくは６〜１２、より好ましくは７〜１１、更により好ましくは８〜１０である。
【００１４】
液体洗浄組成物は、配合した成分及び組成物の目的などの要素に応じ、任意の好適な粘度を有し得る。一実施形態では、組成物は、２０／秒のせん断速度及び２１℃の温度下で、２００〜３，０００ｃＰ、あるいは３００〜２，０００ｃＰ、あるいは５００〜１，０００ｃＰの高せん断粘度を有し、１／秒のせん断速度及び２１℃の温度下で、５００〜１００，０００ｃＰ、あるいは１，０００〜１０，０００ｃＰ、あるいは１，５００〜５，０００ｃＰの低せん断粘度を有する。
【００１５】
汚れ分散剤
本発明の汚れ分散剤は、アルキレンアミン主鎖と、アルキレンアミン主鎖の窒素原子に結合した側鎖とを含み、側鎖は、式（Ｉ）のものである、
−（ＥＯ）ｂ（ＰＯ）ｃ      （Ｉ）
［式中、ｂは、アルキレンアミン主鎖の窒素原子に結合する、エチレンオキシ（「ＥＯ」）単位の数を表し、３〜６０の範囲であり、ｃは、ＥＯ単位に結合するプロピレンオキシ（「ＰＯ」）単位の数（存在する場合）を表し、０〜６０の範囲である］。上記のとおり、本明細書に記載の汚れ分散剤が、処理する布地から泥汚れを剥がし、布地に対するこの泥汚れの再付着を防止するのは、親水性ＥＯ鎖によるものであると考えられる。
【００１６】
本明細書に記載の汚れ分散剤に使用する主鎖は、四級化及び非四級化アミンを含む、任意の好適なアルキレンアミン（例えば、エチレンアミン、プロピレンアミン）とすることができる。主鎖は、１つのアルキレンアミン又はポリマー（例えば、ポリアルキレンイミン）同様複数のアルキレンアミンを含み得る。複数のアルキレンアミンを主鎖とする実施では、主鎖の少なくとも１つの窒素原子は式（Ｉ）の側鎖に結合しており、好ましくは主鎖の複数の窒素原子はそれぞれ式（Ｉ）の側鎖に結合しており、すなわち、汚れ分散剤分子には式（Ｉ）の側鎖が複数存在する。式（Ｉ）の側鎖に結合するとき、窒素原子は、窒素原子が主鎖の内部部分又は末端部分のいずれにあるかに応じ、式（Ｉ）の１つ又は２つの側鎖に結合し得る。汚れ分散剤分子の側鎖の数は、主鎖の長さ、主鎖中の利用可能な窒素原子の数などの要素をもとに、１〜数百とすることができる。例えば、ポリアルキレンイミンの実施において、側鎖の数は、１〜数百、好ましくは５〜８０、あるいは１０〜５０とすることができる。
【００１７】
好ましくは、本明細書に記載の汚れ分散剤は、
ａ）ポリエチレンイミン（ＰＥＩ）を主鎖とし、ＰＥＩ主鎖の窒素原子に結合している式（Ｉ）の側鎖を有する、ポリエチレンイミンエトキシレートであって、好ましくは、式（Ｉ）の側鎖のうち２つ以上がそれぞれＰＥＩ主鎖の２つ以上の窒素原子に結合している、ポリエチレンイミンエトキシレート
−（ＥＯ）ｂ（ＰＯ）ｃ      （Ｉ）
［式中、ｂは３〜６０の範囲であり、ｃは０〜６０の範囲である］；
ｂ）式（ＩＩ）の化合物
【００１８】
【化１】
2017538009.tif 000002
［式中、Ｒは、式（ＩＩＩ）：
−（ＥＯ）ｎＲ４      （ＩＩＩ）
のエチレンオキシ単位であり、ｎは、３〜５０の範囲であり；Ｒ４は、水素、アニオン性単位、又はこれらの組み合わせであり；Ｑは、Ｃ１〜Ｃ８線状アルキル、Ｃ３〜Ｃ８分岐アルキル、ベンジル、及びこれらの混合物からなる群から独立して選択された四級化単位であり；及びＸは、水溶性アニオンである］；並びに
これらの組み合わせ、からなる群から選択される化合物を含む。
【００１９】
ポリエチレンイミンエトキシレート
ポリエチレンイミンエトキシレートにおけるＰＥＩ主鎖は、線状若しくは環状、又はこれらの組み合わせのいずれかとすることができる。ＰＥＩ主鎖は、より多量のあるいはより少量のＰＥＩ分岐鎖も含んでよい。通常、本明細書に記載のＰＥＩ主鎖は、置換、四級化、酸化、又はこれらの組み合わせを受けている単位という観点で以降ＰＥＩ鎖中のそれぞれの窒素原子について記載されるような方法で改変されている。ＰＥＩ主鎖は、改変前に、側鎖は除いて約１００〜約１００，０００、好ましくは約２００〜約１０，０００、より好ましくは３００〜約３，０００の範囲の平均的な数平均分子量、ＭＷｎを有する。
【００２０】
理論に束縛されるものではないが、一般的な洗浄条件下では、洗濯洗浄液のｐＨはおおよそ８であり、ＰＥＩ主鎖の窒素部分は部分的にプロトン化されているものと考えられる。そのため、洗浄サイクル中、ＰＥＩ主鎖は汚れ（例えば、泥汚れ）上に堆積し、ひび割れ及び割れ目などの隙間に浸透する。ＰＥＩ主鎖の浸透に加え、汚れ表面から外側に延びる親水性エチレンオキシ鎖が、泥汚れ除去性能を更に増強する。
【００２１】
式（Ｉ）中、
−（ＥＯ）ｂ（ＰＯ）ｃ      （Ｉ）
ｂは、ＰＥＩ主鎖中の、窒素原子あたりの平均ＥＯ単位数を表し、３〜６０、好ましくは５〜５０、より好ましくは１５〜３５の範囲である；及びｃは、ＰＥＩ主鎖中の、窒素原子あたりの平均ＰＯ単位数を表し、０〜６０の範囲である。
【００２２】
本明細書に記載のポリエチレンイミンエトキシレートは、式（Ｉ）中のｃの値をもとに、ｃが０である場合、及びｃが１〜６０である場合、という２つの群に分割することができる。
【００２３】
ｃが０で実施される場合、化合物はＰＯ単位を有さない。化合物及びそれらの製造プロセスの種類は、概して米国特許第６，０８７，３１６号に記載されている。このような種類の汚れ分散剤の好ましい一例は、平均的な数平均分子量が約６００であるＰＥＩ主鎖を有し、ＰＥＩの窒素原子あたりのＥＯ単位が約２０個となるようエトキシル化されている、式（Ｉ）に相当するポリエチレンイミンである。
【００２４】
あるいは、ｃが１〜６０で実施される場合、化合物は１つ以上のＰＯ単位を有する。ＰＯ単位は疎水性であるため、親水性ＥＯ鎖との組み合わせにより、汚れ分散剤には両親媒性が付与される。化合物中のＥＯ単位及びＰＯ単位の数を調節することにより、本明細書に記載の化合物は、親水性及び疎水性の均衡が達成され、グリース／油などの界面活性剤感受性の汚れに対する総合的な洗浄性が増強される。一実施形態では、ｃは５〜４０、好ましくは１０〜２５の範囲である。化合物及びそれらの製造プロセスの種類は、概して米国特許第８，０９７，５７９号に記載されている。このような種類の汚れ分散剤の好ましい一実施形態は、平均的な数平均分子量が約６００であるＰＥＩ主鎖を有し、ＰＥＩの窒素原子あたりのＥＯ単位が約２４個となるようエトキシル化されており、かつＰＥＩの窒素原子あたりのＰＯ単位が約１６個となるようプロポキシル化されている、式（Ｉ）に相当するポリエチレンイミンである。
【００２５】
これらのＰＥＩ主鎖は、例えば、二酸化炭素、亜硫酸水素ナトリウム、硫酸、過酸化水素、塩酸、酢酸などの触媒の存在下でエチレンイミンを重合させることによって調製することができる。これらのＰＥＩ主鎖を調製する具体的な方法は、１９３９年１２月５日に発行された、Ｕｌｒｉｃｈらの米国特許第２，１８２，３０６号；１９６２年５月８日に発行された、Ｍａｙｌｅらの同第３，０３３，７４６号；１９４０年７月１６日に発行された、Ｅｓｓｅｌｍａｎｎらの同第２，２０８，０９５号；１９５７年９月１７日に発行された、Ｃｒｏｗｔｈｅｒの同第２，８０６，８３９号；及び１９５１年５月２１日に発行された、同第２，５５３，６９６号に記載されている。このＰＥＩ主鎖を、次にエトキシル化、及び場合によりプロポキシル化により改質して、ポリエチレンイミンエトキシレートを得る。
【００２６】
式（ＩＩ）の化合物
式（ＩＩ）の化合物は、四級化ジアミン主鎖及び伸長されたＥＯ鎖を含む双性イオンヘキサメチレンジアミンである。このような双性イオンヘキサメチレンジアミン及びそれらの製造プロセスは、概して、米国特許第６，４４４，６３３号に記載されている。理論に束縛されるものではないが、付着している泥汚れに対し四級化ジアミン主鎖が効率的に吸着する傍ら、ＥＯ鎖が泥汚れを剥がし、剥がした泥汚れを再付着させずに安定化するものと考えられている。
【００２７】
式（ＩＩ）中、
【００２８】
【化２】
2017538009.tif 000003
Ｒは式（ＩＶ）のエチレンオキシ単位であり：
−（ＥＯ）ｎＲ４      （ＩＩＩ）
ｎはＥＯ単位の平均数を表し、３〜５０の範囲である。製造者がＥＯ単位の形成に選択する方法に依存して、存在するＥＯ単位の範囲の幅は広くなる、あるいは狭くなる。好ましくは、ＥＯ単位の数はプラス又はマイナス２個の範囲であり、より好ましくはプラス又はマイナス１個の範囲である。最も好ましくは、各Ｒ基は、同数のＥＯ単位を含む。添字ｎは、好ましくは１０〜４０、より好ましくは１５〜３５である。ｎについて好ましい値は２４であり；
Ｒ４は、水素、アニオン性単位、又はこれらの組み合わせである。アニオン性単位の非限定例としては、−（ＣＨ２）ｐＣＯ２Ｍ；−（ＣＨ２）ｑＳＯ３Ｍ；−（ＣＨ２）ｑＣＨ（ＳＯ２Ｍ）−ＣＨ２ＳＯ３Ｍ；−（ＣＨ２）ｑＣＨ（ＯＳＯ２Ｍ）ＣＨ２ＯＳＯ３Ｍ；−（ＣＨ２）ｑＣＨ（ＳＯ３Ｍ）ＣＨ２ＳＯ３Ｍ；−（ＣＨ２）ｐＰＯ３Ｍ；−ＰＯ３Ｍ；及びこれらの混合物が挙げられ；式中、Ｍは、電化の均衡を満たすのに十分な量の水素又は水溶性カチオンである。好ましいアニオン性単位は−（ＣＨ２）ｐＣＯ２Ｍ又は−（ＣＨ２）ｑＳＯ３Ｍであり、より好ましくは−（ＣＨ２）ｑＳＯ３Ｍである。添字ｐ及びｑは０〜６の整数である。好ましくは、双性イオンジアミンの全サンプルを構成するすべてのＲ４単位のうち、約８５％、より好ましくは約９０％、最も好ましくは約９５％は、アニオン性単位である。製造者は、いくつかの分子がアニオン性単位により完全に封止されている一方で、いくつかの分子では有するＲ４単位のうち２つが水素であり得ることを理解されるであろう。しかしながら、最も好ましくは存在するすべてのＲ単位のうち約９５％が本明細書に記載の１つ以上のアニオン性単位で封止されており；
Ｑは、Ｃ１〜Ｃ８線状アルキル、Ｃ３〜Ｃ８分岐アルキル、ベンジル、及びこれらの混合物からなる群から独立して選択された四級化単位であり、好ましくはメチル又はベンジルであり、最も好ましくはメチルであり；並びに
Ｘは電子的中性をもたらすのに十分な量の水溶性アニオンである。対イオンＸの大部分は、四級化の実施に用いられた単位に由来するものである。例えば、塩化メチルを四級化剤として使用する場合、対イオンＸは塩素（塩化物イオン）である。臭化ベンジルを四級化剤とする場合には、臭素（臭化物イオン）が主要な対イオンとなり得る。
【００２９】
好ましい双性イオンヘキサメチレンジアミンは、式（ＩＶ）のものであり、
【００３０】
【化３】
2017538009.tif 000004
式中、水溶性アニオンは任意の好適な対イオンを含み得る。
【００３１】
マイクロカプセル
本発明のマイクロカプセルは、外側表面を含むシェル、シェルに封入されたコア、及び外側表面を被覆する被覆を含み、被覆はカチオン性に帯電している。典型的には、シェルは境界が十分に定まっている固体物質であるのに対し、シェルに付着させる被覆は明瞭な境界は有していなくてもよく、特に、以下に記載のポリマー被覆したマイクロカプセルを実施する場合には有していなくてもよい。本明細書において、用語「カチオン性に帯電している」は、被覆そのものがカチオン性であることを意味するものであり（例えば、カチオン性ポリマー又はカチオン性成分を含有することによる）、必ずしもシェルもカチオン性であることを意味するものではない。それどころか、数多くの既知のマイクロカプセルはアニオン性シェル、例えば、メラミンホルムアルデヒドを有する。アニオン性シェルを有するこれらのマイクロカプセルを、カチオン性被覆により被覆し、ひいては本発明のマイクルカプセルの範囲に該当させることができる。好ましい被覆は効率ポリマー（efficiency Polymer）を含む。本明細書において、用語「ポリマー」は、１種類のモノマーを重合させたホモポリマー、又は２種以上の異なるモノマーを重合させたコポリマーのいずれであってもよい。本明細書における効率ポリマーは、カチオン性又は中性又はアニオン性のいずれであってもよいものの、好ましくはカチオン性である。効率ポリマーをアニオン性又は中性とする実施では、被覆は、カチオン性電荷を付与する他の成分を含む。効率ポリマーをカチオン性とする実施では、ポリマーは、ポリマーの合計電荷がカチオン性となる範囲であれば中性又はアニオン性モノマーを含んでもよい。このようなポリマー被覆したマイクロカプセル及びそれらの製造プロセスは、米国特許第２０１１／０１１１９９９（Ａ）号に記載される。
【００３２】
本明細書におけるマイクロカプセルのコアは、典型的には、寿命の向上をもたらすのに望ましく、かつ液体洗浄組成物中の他の成分と適合性のない成分から選択された、有効な剤を含む。有効な剤は、好ましくは、香料油、シリコーン、ワックス、漂白剤、染料、防虫剤、ビタミン、布地柔軟剤、パラフィン、酵素、抗バクテリア剤、漂白剤、及びこれらの組み合わせからなる群から選択される。好ましい一実勢形態では、コアは、香料油を含む。この香料を封入したマイクロカプセルは、「香料マイクロカプセル」（「ＰＭＣ」）として知られる。ＰＭＣは、以下の参照文献に記載されている：米国特許出願第２００３／２１５４１７（Ａ１）号；米国特許第２００３／２１６４８８（Ａ１）号；米国特許出願第２００３／１５８３４４（Ａ１）号；同第２００３／１６５６９２（Ａ１）号；同第２００４／０７１７４２（Ａ１）号；同第２００４／０７１７４６（Ａ１）号；同第２００４／０７２７１９（Ａ１）号；同第２００４／０７２７２０（Ａ１）号；欧州特許第１，３９３，７０６（Ａ１号）；米国特許出願第２００３／２０３８２９（Ａ１）号；同第２００３／１９５１３３（Ａ１）号；同第２００４／０８７４７７（Ａ１）号；同第２００４／０１０６５３６（Ａ１）号；米国特許第６，６４５，４７９号；同第６，２００，９４９号；同第４，８８２，２２０号；同第４，９１７，９２０号；同第４，５１４，４６１号；米国再発行特許第３２，７１３号；米国特許第４，２３４，６２７号。
【００３３】
ＰＭＣの実施では、封入される香料油は製品の性質に応じ様々な香料原料を含み得る。例えば、製品が液体洗濯洗剤である場合、香料油は、非常に汚れている条件下、及び冷水中で、改善された香料性能を提供する、１種以上の香料成分を含み得る。一実施形態では、香料油は、アロオシメン、カプロン酸アリル、ヘプタン酸アリル（allyl heptoate）、プロピオン酸アミル、アネトール、アニスアルデヒド、アニソール、ベンズアルデヒド、酢酸ベンジル、ベンジルアセトン、ベンジルアルコール、酪酸ベンジル、ギ酸ベンジル、イソ吉草酸ベンジル、プロピオン酸ベンジル、βγヘキセノール、カンフェン、カンフル、カルバクロール、ラエボ−カルベロール（laevo-carveol）、ｄ−カルボン、ラエボーカルボン（laevo-carvone）、ギ酸シンナミル（cinnamyl formate）、シトラール（ネラール）、シトロネラール、酢酸シトロネリル、イソ酪酸シトロネリル、シトロネリルニトリル、プロピオン酸シトロネリル、クミンアルコール、クミンアルデヒド、サイクラルＣ（Cyclal C）、酢酸シクロヘキシルエチル、デシルアルデヒド、ジヒドロミルセノール、ジメチルベンジルカルビノール、ジメチルベンジルカルビニル酢酸塩、ジメチルオクタノール、ジフェニルオキシド、酢酸エチル、アセト酢酸エチル、エチルアミルケトン、安息香酸エチル、酪酸エチル、エチルヘキシルケトン、フェニル酢酸エチル、ユーカリプトール、オイゲノール、酢酸フェンキル、フェンキルアルコール、フルオロ酢酸（flor acetate）（トリシクロデセニルアセテート）、フルテン（トリシクロデセニルプロピオネート）、γメチルイオノン、γ−ｎ−メチルイオノン、γ−ノナラクトン、ゲラニオール、酢酸ゲラニル、ギ酸ゲラニル、イソ酪酸ゲラニル、ゲラニルニトリル、ヘキセノール、酢酸ヘキセニル、酢酸ｃｉｓ−３−ヘキセニル、イソ酪酸ヘキセニル、チグリン酸ｃｉｓ−３−ヘキセニル、酢酸ヘキセニル、ギ酸ヘキシル、ネオペンタン酸セキシル、チグリン酸ヘキシル、ヒドロアトロパ酸アルコール、ヒドロキシシトロネラール、インドール、イソアミルアルコール、α−イオノン、β−イオノン、γ−イオノン、α−イロン、酢酸イソボルニル、安息香酸イソボルニル、イソブチルキノリン、イソメントール、イソメントン、酢酸イソノニル、イソノニルアルコール、パラ−イソプロパノールフェニルアセトアルデヒド、イソプレゴール、酢酸イソプレゴール、イソキノリン、ｃｉｓ−ジャスモン、ラウリックアルデヒド（ドデカナール）、リグストラール（Ligustral）、ｄ−リモネン、リナロール、リナロールオキシド、酢酸リナリル、ギ酸リナリル、メントン、酢酸メンチル、メチルアセトフェノン、メチルアミルケトン、アントラニル酸メチル、安息香酸メチル、酢酸メチルベンジル、メチルカビコール、メチルオイゲノール、メチルヘプテノン、へプチンカルボン酸メチル、メチルヘプチルケトン、メチルヘキシルケトン、α−イソ「γ」メチルイオノン、メチルノニルアセトアルデヒド、メチルオクチルアセトアルデヒド、酢酸メチルフェニルカルビニル、サリチル酸メチル、ミルセン、ネラール、ネロール、ネリル酢酸、ノニル酢酸、ノニルアルデヒド、オクタラクトン、オクチルアルコール（オクタノール−２）、オクチルアルデヒド、オレンジテルペ���（ｄ−リモネン）、パラ−クレゾール、パラ−クレシルメチルエーテル、パラ−シメン、パラ−メチルアセトフェノン、フェノキシエタノール、フェニルアセトアルデヒド、酢酸フェニルエチル、フェニルエチルアルコール、フェニルエチルジメチルカルビノール、α−ピネン、β−ピネン、酢酸プレニル、酪酸プロピル、プレゴン、ローズオキシド、サフロール、α−テルピネン、γ−テルピネン、４−テルピネノール、α−テルピネオール、テルピノレン、酢酸テルピニル、テトラヒドロリナロール、テトラヒドロミルセノール、トナリド、ウンデセナール、ベラトロール、ベルドックス、ベルテネックス、ビリジン、及びこれらの組み合わせからなる群から選択された成分を含み得る。
【００３４】
本明細書において、マイクロカプセルのシェルは、好ましくはアミノプラスト、ポリアクリレート、ポリエチレン、ポリアミド、ポリスチレン、ポリイソプレン、ポリカーボネート、ポリエステル、ポリオレフィン、多糖（例えば、アルギネート又はキトサン）、ゼラチン、セラック、エポキシ樹脂、ビニルポリマー、水不溶性無機物、シリコーン、及びこれらの組み合わせからなる群から選択される材料を含む。好ましくは、シェルは、アミノプラスト、ポリアクリレート、及びこれらの組み合わせからなる群から選択される材料を含む。
【００３５】
好ましくは、マクロカプセルのシェルは、アミノプラストを含む。このようなシェルマイクロカプセルを形成する方法には、重縮合が挙げられる。アミノプラスト樹脂は、１つ以上のアミンと１つ以上のアルデヒド、一般にはホルムアルデヒドとの反応生成物である。好適なアミン類の非限定的な例としては、尿素、チオ尿素、メラミン及びその誘導体、ベンゾグアナミン及びアセトグアナミン、並びに、アミン類の組み合わせが挙げられる。好適な架橋剤（例えば、トルエンジイソシアネート、ジビニルベンゼン、ブタンジオールジアクリレート等）が使用されてもよく、また、二次壁高分子、例えば無水物及びその誘導体、特に国際公開第０２／０７４４３０号に開示されるように、無水マレイン酸の高分子及び共重合体を必要に応じて使うこともできる。一実施形態では、シェルは、尿素ホルムアルデヒド、メラミンホルムアルデヒド、及びこれらの組み合わせからなる群から選択される材料を含み、好ましくはメラミンホルムアルデヒド（架橋又は未架橋）を含む。
【００３６】
好ましい一実施形態では、コアは香料油を含み、シェルはメラミンホルムアルデヒドを含む。あるいは、コアは香料油を含み、シェルはメラミンホルムアルデヒド及びポリアクリル酸及びポリアクリル酸ブチル共重合体を含む。
【００３７】
本発明のマイクロカプセルは、脆砕性のものとする必要がある。脆砕性は、外部からの直接的圧力又はせん断力又は熱を受けた際に、マイクロカプセルが破れ、又は壊れて内部を露出する傾向を指す。ＰＭＣの実施では、驚くべきことに本発明のマイクロカプセル内の香料油は、マイクロカプセルの崩壊時の効果を最大化し、マイクロカプセルが破れたときに「香りを広げる」香料を提供する。
【００３８】
好ましい一実施形態では、効率ポリマーは式（Ｖ）のものであり、
【００３９】
【化４】
2017538009.tif 000005
式中、
ａ）ａ及びｂはそれぞれ５０〜１００，０００の範囲のものであり；
ｂ）各Ｒ１は、Ｈ、ＣＨ３、（Ｃ＝Ｏ）Ｈ、アルキレン、不飽和Ｃ−Ｃ結合を有するアルキレン、ＣＨ２−ＣＲＯＨ、（Ｃ＝Ｏ）−ＮＨ−Ｒ、（Ｃ＝Ｏ）−（ＣＨ２）ｎ−ＯＨ、（Ｃ＝Ｏ）−Ｒ、（ＣＨ２）ｎ−Ｅ、−（ＣＨ２−ＣＨ（Ｃ＝Ｏ））ｎ−ＸＲ、−（ＣＨ２）ｎ−ＣＯＯＨ、−（ＣＨ２）ｎ−ＮＨ２、又は−ＣＨ２）ｎ−（Ｃ＝Ｏ）ＮＨ２から独立して選択され、添字ｎは０〜２４の範囲であり、Ｅは求電子性基であり、Ｒは飽和又は不飽和アルカン、ジアルキルシロキシ、ジアルキルオキシ、アリール、又はアルキル化アリールであり、好ましくは、シアノ、ＯＨ、ＣＯＯＨ、ＮＨ２、ＮＨＲ、スルホネート、スルファート、−ＮＨ２、四級化アミン、チオール、アルデヒド、アルコキシ、ピロリドン、ピリジン、イミダゾール、イミダゾリウムハロゲン塩、グアニジン、ホスフェート、単糖、オリゴ糖、多糖、及びこれらの組み合わせからなる群から選択される部分を更に含有し；
ｃ）Ｒ２又はＲ３は存在せず又は存在し：
（ｉ）Ｒ３が存在するとき、各Ｒ２は独立して−ＮＨ２、−ＣＯＯ−、−（Ｃ＝Ｏ）−、−Ｏ−、−Ｓ−、−ＮＨ−（Ｃ＝Ｏ）−、−ＮＲ１−、ジアルキルシロキシ、ジアルキルオキシ、フェニレン、ナフタレン、又はアルキレンオキシから選択され；各Ｒ３は、独立してＲ１と同じ基から選択され；
（ｉｉ）Ｒ３が存在しないとき、各Ｒ２は独立して−ＮＨ２、−ＣＯＯ−、−（Ｃ＝Ｏ）−、−Ｏ−、−Ｓ−、−ＮＨ−（Ｃ＝Ｏ）−、−ＮＲ１−、ジアルキルシロキシ、ジアルキルオキシ、フェニレン、ナフタレン、又はアルキレンオキシから選択され；及び
（ｉｉｉ）Ｒ２が存在しない場合、各Ｒ３はＲ１と同様の群から独立して選択され；並びに
効率ポリマーの平均分子質量は約１，０００Ｄａ〜約５０，０００，０００Ｄａであり；加水分解度は約５％〜約９５％であり；及び／又は電荷密度は約１ｍｅｑ／ｇ〜約２３ｍｅｑ／ｇである。
【００４０】
一実施形態では、効率ポリマーは：
ａ）平均分子質量が１，０００Ｄａ〜５０，０００，０００Ｄａ、あるいは５，０００Ｄａ〜２５，０００，０００Ｄａ、あるいは１０，０００Ｄａ〜１０，０００，０００Ｄａ、あるいは３４０，０００Ｄａ〜１，５００，０００Ｄａであり；
ｂ）加水分解度が５％〜９５％、あるいは７％〜６０％、あるいは１０％〜４０％であり；並びに／あるいは
ｃ）電荷密度は１ｍｅｑ／ｇ〜２３ｍｅｑ／ｇ、１．２ｍｅｑ／ｇ〜１６ｍｅｑ／ｇ、２ｍｅｑ／ｇ〜約１０ｍｅｑ／ｇ、又は更には１ｍｅｑ／ｇ〜約４ｍｅｑ／ｇである。
【００４１】
一実施形態では、効率ポリマーは、ポリビニルアミン、ポリビニルホルムアミド、ポリアリルアミン、及びこれらのコポリマーからなる群から選択される。好ましい一実施形態では、効率ポリマーは、ＢＡＳＦ  ＡＧ（Ｌｕｄｗｉｇｓｈａｆｅｎ，Ｇｅｒｍａｎｙ）から商品名Ｌｕｐａｍｉｎ（登録商標）９０３０で市販のポリビニルホルムアミドである。一実施形態では、効率ポリマーは、ポリビニルアミド−ポリビニルアミンコポリマーを含む。
【００４２】
ポリビニルアミド−ポリビニルアミンコポリマーなどの好適な効率ポリマーは、ポリビニルホルムアミド出発ポリマーの加水分解により製造することができる。また、好適な効率ポリマーは、ビニルホルムアミドをアクリルアミド、アクリル酸、アクリロニトリル、エチレン、ナトリウムアクリレート、メチルアクリレート、無水マレイン酸、酢酸ビニル、ｎ−ビニルピロリジンと共重合させることで形成することができる。好適な効率ポリマー又はオリゴマーは、同様に、ビニルホルムアミドをメチルスルホン酸などのプロトン酸、及び／又は三フッ化ホウ素などのルイス酸とカチオン重合させることで形成することができる。
【００４３】
マイクロカプセルの粒径及び平均直径は、１マイクロメートル〜１００マイクロメートル、あるいは５マイクロメートル〜８０マイクロメートル、あるいは１０マイクロメートル〜７５マイクロメートル、及びあるいは１５マイクロメートル〜５０マイクロメートルと異なってよい。粒径分布を、狭く、広く、又は多峰性にすることができる。多峰性分布は、異なる種類のカプセル化成品（capsule chemistries）から構成され得る。
【００４４】
一実施形態では、本明細書において利用されるマイクロカプセルは、概して０．１マイクロメートル〜３０マイクロメートル、あるいは１マイクロメートル〜１０マイクロメートルの範囲の平均シェル厚を有する。一実施形態では、本明細書におけるマイクロカプセルは、厚みの観点で、それぞれ１：２００〜約１：２、あるいは１：１００〜１：４、あるいは１：８０〜約１：１０のシェル対被覆比を有する。
【００４５】
マイクロカプセルは、液体洗浄組成物の製造時の任意の時点で組成物と組み合わせることができる。マイクロカプセルを組成物に加えても、またその逆でもよい。例えば、マイクロカプセルは、予め製造した組成物にあとから加えることができ、あるいは組成物の製造中に、水などの他の成分と組み合わせてもよい。
【００４６】
本明細書におけるマイクロカプセルは、マイクロカプセルスラリーに含有され得る。本発明の文脈では、マイクロカプセルスラリーは、水分散体として定義され、好ましくは、スラリーの１０重量％〜５０重量％、あるいは２０重量％〜４０重量％のマイクロカプセルを含む。
【００４７】
本明細書におけるマイクロカプセルスラリーは、水溶性塩を含み得る。本明細書において、用語「水溶性塩」は、解離している正に帯電したカチオンと負に帯電したアニオンからなる、水溶性イオン化合物を意味する。水溶性塩は、周囲温度及び大気圧下の脱イオン水中で安定なものとして定義される。マイクロカプセルスラリーは、１ｍｍｏｌ／ｋｇ〜７５０ｍｍｏｌ／ｋｇ、あるいは１０ｍｍｏｌ／ｋｇ〜３００ｍｍｏｌ／ｋｇの水溶性塩を含み得る。一実施形態では、水溶性塩は、マイクロカプセルスラリーの残留不純物として存在し得る。この残留不純物は、様々な供給元から購入されマイクロカプセルスラリーに含まれる他の成分由来である場合がある。あるいは水溶性塩は、マイクロカプセルスラリーのレオロジー特性を調整して、輸送時及び長期保管時のスラリーの安定性を改善するために、マイクロカプセルスラリーに意図的に加えられる。
【００４８】
好ましくは、マイクロカプセルスラリーに存在する水溶性塩は、アルカリ土類金属、遷移金属又は金属を含む群から選択される多価カチオンと、好適な単原子又は多原子アニオンとが対になることで構成される。一実施形態では、水溶性塩はカチオンを含み、カチオンはベリリウム、マグネシウム、カルシウム、ストロンチウム、バリウム、スカンジウム、チタン、鉄、銅、アルミニウム、亜鉛、ゲルマニウム、及びスズからなる群から選択され、好ましくはマグネシウムである。一実施形態では、水溶性塩はアニオンを含み、アニオンはフッ素、塩素、臭素、ヨウ素、酢酸塩、炭酸塩，クエン酸塩、水酸化物、硝酸塩、亜リン酸塩、ホスフェート、及び硫酸塩からなる群から選択され、好ましいアニオンはハロゲンの単原子アニオンである。最も好ましくは、水溶性塩は塩化マグネシウムであり、塩化マグネシウムは、好ましくはスラリーの０．１重量％〜５重量％、好ましくは０．２重量％〜３重量％の量でスラリーに存在する。
【００４９】
マイクロカプセルスラリーの製造プロセスの一実施形態は、任意の順序で、マイクロカプセル（被覆をなされていないものは除く）、効率ポリマー、及び任意選択的に安定化システム、及び任意選択的に殺生物剤を組み合わせる。好ましくは、効率ポリマーはポリビニルホルムアミドを含み、安定化システムは塩化マグネシウム及びキサンタンガムを含む。一実施形態ではスラリーを製品に使用するよりも少なくとも１５分、好ましくは少なくとも１時間、より好ましくは４時間前に、マイクロカプセル及び効率ポリマーを十分に接触させることにより、マイクロカプセルを被覆するポリマー被覆を形成させる。
【００５０】
本明細書に開示した、ポリマー被覆したマイクロカプセルに応用することのできる好適なマイクロカプセルは、米国特許第２００８／０３０５９８２（Ａ１）号及び同第２００９／０２４７４４９（Ａ１）号における教示などの出願人らの教示に従いなすことができる。あるいは、適切なポリマー被覆をしたカプセル剤は、Ａｐｐｌｅｔｏｎ  Ｐａｐｅｒｓ  Ｉｎｃ．（Ａｐｐｌｅｔｏｎ，Ｗｉｓｃｏｎｓｉｎ  ＵＳＡ）から購入できる。
【００５１】
補助成分
本明細書に記載の液体洗浄組成物は、１つ以上の補助剤成分を含み得る。好適な補助剤成分としては、アニオン性界面活性剤、非イオン性界面活性剤、カチオン性界面活性剤、両性界面活性剤、双性イオン界面活性剤、脂肪酸、ビルダー、キレート剤、移染防止剤、分散剤、レオロジー改質剤、酵素及び酵素安定剤、触媒物質、漂白活性化剤、過酸化水素、過酸化水素源、予備形成済み過酸、ポリマー分散剤、泥汚れ除去／再付着防止剤、増白剤、抑泡剤、染料、光漂白剤、構造伸縮性付与剤、布地柔軟剤、キャリア、向水性物質、加工助剤、溶媒、色調剤、抗菌剤、遊離香油（free perfume oils）、シリコーンエマルジョン、並びに／又は顔料が挙げられるが、これらに限定されない。下記開示に加えて、このような他の補助成分の好適な例及び使用量は、米国特許第５，５７６，２８２号、同第６，３０６，８１２号及び同第６，３２６，３４８号に記載されている。液体洗浄組成物中におけるこれらの補助成分の正確な性質及びその濃度は、組成物の種類、及び組成物が使用される洗浄操作の性質によって決まる。
【００５２】
一実施形態では、組成物は、アニオン性界面活性剤を含む。アニオン性界面活性剤の非限定例としては、線状アルキルベンゼンスルホネート（ＬＡＳ）、好ましくはＣ１０〜Ｃ１６ＬＡＳ；Ｃ１０〜Ｃ２０第一級分枝鎖及びランダムアルキルサルフェート（ＡＳ）；−Ｃ１０〜Ｃ１８第二級（２，３）アルキルサルフェート；硫酸化脂肪酸アルコールエトキシレート（ＡＥＳ）、好ましくはＣ１０〜Ｃ１８アルキルアルコキシサルフェート（ＡＥｘＳ）［式中、好ましいｘは１〜３０であり、より好ましいｘは１〜３である］；好ましくは１〜５個のエトキシ単位を含む、Ｃ１０〜Ｃ１８アルキルアルコキシカルボキシレート；米国特許第６，０２０，３０３号及び同第６，０６０，４４３号に記載のとおりの中鎖分岐アルキルサルフェート；同第６，００８，１８１号及び同第６，０２０，３０３号に記載のとおりの中鎖分岐アルキルアルコキシサルフェート；国際公開第９９／０５２４３号、同第９９／０５２４２号、及び同第９９／０５２４４号に記載のとおりの改質アルキルベンゼンスルホネート（ＭＬＡＳ）；メチルエステルスルホネート（ＭＥＳ）；及びα−オレフィンスルホネート（ＡＯＳ）が挙げられる。好ましくは、組成物はＬＡＳ、ＡＥＳ、ＡＳ、及びこれらの組み合わせからなる群から選択される、より好ましくはＬＡＳ、ＡＥＳ、及びこれらの組み合わせからなる群から選択される、アニオン性界面活性剤を含む。アニオン性界面活性剤の総濃度は、液体洗剤組成物の５重量％〜９５重量％、あるいは８重量％〜７０重量％、あるいは１０重量％〜５０重量％、あるいは１２重量％〜４０重量％、あるいは１５重量％〜３０重量％とすることができる。
【００５３】
一実施形態では、本明細書における組成物は非イオン性界面活性剤を含む。非イオン性界面活性剤の非限定例としては、Ｓｈｅｌｌから入手可能なＮｅｏｄｏｌ（登録商標）非イオン性界面活性剤などのＣ１２〜Ｃ１８アルキレンオキシレート；アルコキシレート単位がエチレンオキシ単位及びプロピレンオキシ単位の混合物である、Ｃ６〜Ｃ１２アルキルフェノールアルコキシレート；エチレンオキシド／プロピレンオキシドブロックアルキルフェノールエトキシレートとのＣ１２〜Ｃ１８アルコール縮合物及びＣ６〜Ｃ１２縮合物［ＰＬＵＲＯＮＩＣ（登録商標）（ＢＡＳＦ）など］；米国特許第６，１５０，３２２号に記載のＣ１４〜Ｃ２２中鎖分枝状アルコール（ＢＡ）；同第６，１５３，５７７号、同第６，０２０，３０３号及び同第６，０９３，８５６号に記載のＣ１４〜Ｃ２２中鎖分枝状アルキルアルコキシラート類、ＢＡＥｘ（ここで、ｘは１〜３０である）；１９８６年１月２６日に発行された同第４，５６５，６４７号（Ｌｌｅｎａｄｏ）に記載のアルキル多糖類；特に、同第４，４８３，７８０号及び同第４，４８３，７７９号に記載のアルキルポリグリコシド；同第５，３３２，５２８号に記載のポリヒドロキシ脂肪酸アミドアミド；同第６，４８２，９９４号及び国際公開第０１／４２４０８号に記載のエーテル末端保護ポリ（オキシアルキル化）アルコール界面活性剤が挙げられる。本明細書において、同様に非イオン性界面活性剤として有用なのは、式Ｒ１Ｃ（Ｏ）Ｏ（Ｒ２Ｏ）ｎＲ３を有するものなどのアルコキシル化エステル界面活性剤であり、式中、Ｒ１は、線状及び分岐状Ｃ６〜Ｃ２２アルキル部分又はアルキレン部分から選択される；Ｒ２はＣ２Ｈ４部分及びＣ３Ｈ６部分から選択され、Ｒ３はＨ、ＣＨ３、Ｃ２Ｈ５、及びＣ３Ｈ７部分から選択され；ｎは１〜２０の値を有する。このようなアルコキシル化エステル界面活性剤としては、脂肪酸メチルエステルエトキシレート（ＭＥＥ）が挙げられ、当該施術分野では公知である；例えば、米国特許第６，０７１，８７３号；同第６，３１９，８８７号；同第６，３８４，００９号；同第５，７５３，６０６号；国際公開第０１／１０３９１号、同第９６／２３０４９号を参照されたい。補助界面活性剤として好ましい非イオン性界面活性剤は、平均７モルのエチレンオキシドでエトキシル化したＣ１２〜Ｃ１５アルコールである（例えば、Ｓｈｅｌｌから入手可能なＮｅｏｄｏｌ（登録商標）２５−７）。
【００５４】
一実施形態では、本明細書に記載の組成物は両性界面活性剤を含む。両性界面活性剤の非限定例としては、第二級及び第三級アミンの誘導体、複素環式第二級及び第三級アミンの誘導体、又は第四級アンモニウム、第四級ホスホニウム若しくは第三級スルホニウム化合物の誘導体が挙げられる。好ましい例としては、アルキルジメチルベタイン及びココジメチルアミドプロピルベタイン、Ｃ８〜Ｃ１８（又はＣ１２〜Ｃ１８）のアミンオキシド及びスルホ並びにヒドロキシベタイン、例えばＮ−アルキル−Ｎ，Ｎ−ジメチルアミノ−１−プロパンスルホネートであり、そのアルキル基がＣ８〜Ｃ１８又はＣ１０〜Ｃ１４であり得るものが含まれる、ベタインが挙げられる。
【００５５】
好ましくは、本明細書に記載の両性界面活性剤は、界面活性剤の水溶性アミンオキシドから選択される。有用な界面活性剤であるアミンオキシドは、
【００５６】
【化５】
2017538009.tif 000006
のものであり、式中、Ｒ３はＣ８〜２２アルキル、Ｃ８〜２２ヒドロキシアルキル、又はＣ８〜２２アルキルフェニル基であり；Ｒ４はＣ２〜３アルキレン、又はＣ２〜３２ヒドロキシアルキレン基であり；ｘは０〜約３であり、及び各Ｒ５はＣ１〜３アルキル、Ｃ１〜３ヒドロキシアルキル、又は約１〜約３個のＥＯを含むポリエチレンオキシドである。好ましくは、アミンオキシド界面活性剤は、Ｃ１０〜１８アルキルジメチルアミンオキシド又はＣ８〜１２アルコキシエチルジヒドロキシエチルアミンオキシドであってもよい。好ましいアミンオキシドとしては、線状Ｃ１０、線状Ｃ１２線状Ｃ１０〜１２、及び線状Ｃ１２〜１４アルキルジメチルアミンオキシドが挙げられる。
【００５７】
一実施形態では、本明細書における組成物は、マイクロカプセルを懸濁及び安定化し、組成物の粘度を調整して、集合包装に適したものとするよう機能する、レオロジー調整剤（ある種の条件下では「構造剤」とも呼ばれる）を含む。本明細書において、レオロジー改質剤は、液体組成物に対し粒子を懸濁し及び／又はレオロジーを調整することのできる、米国特許出願第２００６／０２０５６３１（Ａ１）号、同第２００５／０２０３２１３（Ａ１）号、及び米国特許第７，２９４，６１１号、同第６，８５５，６８０号に記載のものなどの何らかの公知な成分とすることができる。好ましいレオロジー改質剤は、ヒドロキシ含有結晶物質、ポリアクリレート、多糖、ポリカルボキシレート、アミンオキシド、アルカリ金属塩、アルカリ土類金属、アンモニウム塩、アルカノールアンモニウム塩、Ｃ１２〜Ｃ２０脂肪酸アルコール、ジベンジリデンポリオールアセタール誘導体（ＤＢＰＡ）、ジアミドゲル化剤（di-amido gallant）、メタクリルアミドに由来する第１の構造単位及びジアリルジメチルアンモニウムクロリドに由来する第２の構造単位を含むカチオン性ポリマー、及びこれらの組み合わせからなる群から選択される。
【００５８】
好ましくは、レオロジー改質剤は、ヒマシ油及びヒマシ油誘導体などの、ヒドロキシ含有結晶質材料（概して結晶質であることを特徴とする）、ヒドロキシル含有脂肪酸、脂肪酸エステル、及び脂肪酸ワックスである。より好ましいレオロジー改質剤は、水添ヒマシ油（ＨＣＯ）である。
【００５９】
レオロジー改質剤は、任意の好適な濃度で液体洗浄組成物に存在させることができる。好ましくは、レオロジー改質剤は、組成物の０．０５重量％〜５重量％、好ましくは０．０８重量％〜３重量％、より好ましくは０．１重量％〜１重量％の量で組成物中に存在する。ＨＣＯの実施では、ＨＣＯは、組成物の０．０５重量％〜１重量％、好ましくは０．１重量％〜０．５重量％の量で組成物中に存在する。
【００６０】
好ましい一実施形態では、本発明の液体洗浄組成物は、
ａ）汚れ分散剤であって、
ｉ）ＰＥＩを主鎖とし、ＰＥＩ主鎖の窒素原子に結合した式（Ｉ）の側鎖を１つ以上有する、ポリエチレンイミンエトキシレート、
−（ＥＯ）ｂ（ＰＯ）ｃ      （Ｉ）
［式中、ポリエチレンイミンエトキシレートはＭＷｎが約３００〜約３，０００の範囲であるＰＥＩ主鎖を有し、ｂは１５〜３５の範囲であり、ｃは０であるか、又はｃは１０〜２５の範囲であり、但し好ましくは０である］；
ｉｉ）式（ＩＶ）の化合物、
【００６１】
【化６】
2017538009.tif 000007
並びにこれらの組み合わせ、からなる群から選択される汚れ分散剤を組成物の０．８重量％〜３重量％、
ｂ）マイクロカプセルであって、外側表面を含むシェル、シェルに封入されたコア、及び外側表面を被覆する被覆を含み、被覆はカチオン性に帯電しており、被覆は効率ポリマーとしてポリビニルホルムアミドを含む、マイクロカプセルを組成物の０．１１重量％〜０．２５重量％、並びに
ｃ）水添ヒマシ油を組成物の０．０５重量％〜１重量％、含む。
【００６２】
好ましい一実施形態では、本発明の液体洗浄組成物は、
ａ）ＰＥＩを主鎖とし、ＰＥＩ主鎖の窒素原子に結合した式（Ｉ）の側鎖を１つ以上有する、ポリエチレンイミンエトキシレートを、組成物の０．８重量％〜３重量％、
−（ＥＯ）ｂ（ＰＯ）ｃ      （Ｉ）
［式中、ポリエチレンイミンエトキシレートはＭＷｎが約３００〜約３，０００の範囲であるＰＥＩ主鎖を有し、ｂは１５〜３５の範囲であり、ｃは０である］；
ｂ）マイクロカプセルであって、外側表面を含むシェル、シェルに封入されたコア、及び外側表面を被覆する被覆を含み、被覆はカチオン性に帯電しており、被覆は効率ポリマーとしてポリビニルホルムアミドを含む、マイクロカプセルを組成物の０．１１重量％〜０．２５重量％、並びに
ｃ）水添ヒマシ油を組成物の０．０５重量％〜１重量％、含む。
【００６３】
別の好ましい実施形態では、本発明の液体洗浄組成物は、
ａ）ＰＥＩを主鎖とし、ＰＥＩ主鎖の窒素原子に結合した式（Ｉ）の側鎖を１つ以上有する、ポリエチレンイミンエトキシレートを、組成物の０．８重量％〜３重量％、
−（ＥＯ）ｂ（ＰＯ）ｃ      （Ｉ）
［式中、ポリエチレンイミンエトキシレートはＭＷｎが約３００〜約３，０００の範囲であるＰＥＩ主鎖を有し、ｂは１５〜３５の範囲であり、ｃは１０〜２５の範囲である］；
ｂ）マイクロカプセルであって、外側表面を含むシェル、シェルに封入されたコア、及び外側表面を被覆する被覆を含み、被覆はカチオン性に帯電しており、被覆は効率ポリマーとしてポリビニルホルムアミドを含む、マイクロカプセルを組成物の０．１１重量％〜０．２５重量％、並びに
ｃ）水添ヒマシ油を組成物の０．０５重量％〜１重量％、含む。
【００６４】
更に別の好ましい実施形態では、本発明の液体洗浄組成物は、
ａ）式（ＩＶ）の汚れ分散剤を組成物の０．８重量％〜３重量％、
【００６５】
【化７】
2017538009.tif 000008
ｂ）マイクロカプセルであって、外側表面を含むシェル、シェルに封入されたコア、及び外側表面を被覆する被覆を含み、被覆はカチオン性に帯電しており、被覆は効率ポリマーとしてポリビニルホルムアミドを含む、マイクロカプセルを組成物の０．１１重量％〜０．２５重量％、並びに
ｃ）水添ヒマシ油を組成物の０．０５重量％〜１重量％、含む。
【００６６】
組成物の調製
本発明の液体洗浄組成物は一般に、液体洗浄組成物の製造に関し当該技術分野において既知である従来法によって調製される。かかる方法は、典型的には、加熱、冷却、真空などの適用下又は非適用下において、必須成分及び任意成分を任意の所望の順序で比較的均一な状態まで混合することと、それによって、成分を必要濃度で含有する液体洗浄組成物を提供することと、を含む。
【００６７】
用法
本発明の一態様は、布地を前処理するための、前述の液体洗浄組成物の使用に関する。
【００６８】
本発明の更に別の態様は、布地を前処理するための液体洗浄組成物の使用に関し、組成物は、
ａ）エチレンイミンと式（Ｉ）の繰り返し単位とを含む汚れ分散剤、
−（ＥＯ）ｂ（ＰＯ）ｃ      （Ｉ）
［式中、ｂは３〜６０の範囲であり、ｃは０〜６０の範囲である］；並びに
ｂ）マイクロカプセル、を含み、マイクロカプセルは、外側表面を含むシェル、シェルに封入されたコア、及び外側表面を被覆する被覆、を含み、被覆はカチオン性に帯電している。好ましくは、被覆は効率ポリマーのポリビニルホルムアミドを含む。
【００６９】
好ましくは、汚れ分散剤は、０．５重量％〜５重量％、好ましくは０．６重量％〜４重量％、より好ましくは０．８重量％〜３重量％の量で組成物に存在し、マイクロカプセルは、０．１１重量％〜０．２５重量％、好ましくは０．１５重量％〜０．２重量％の量で組成物に存在する。
【００７０】
試験方法
平均分子質量の測定法
ポリマーの平均分子質量は、ＡＳＴＭ  Ｍｅｔｈｏｄ  Ｄ４００１−９３（２００６）に準拠して測定した。
【００７１】
加水分解度の測定法
加水分解度は、米国特許第６，１３２，５５８号、２段３６行〜５段２５行に見出される方法に従い測定する。
【００７２】
電荷密度の測定法
ポリマーの電荷密度は、コロイド滴定を補助として用い測定する（Ｄ．Ｈｏｒｎ，Ｐｒｏｇｒｅｓｓ  ｉｎ  Ｃｏｌｌｏｉｄ  ＆  Ｐｏｌｙｍｅｒ  Ｓｃｉ．６５（１９７８），２５１〜２６４を参照されたい）。
【実施例】
【００７３】
本明細書に記載の実施例は、本発明を例示することを意味するが、本発明の範囲を制限又は他の方法で定義するために使用するものではない。
【００７４】
実施例１Ａ：コア８４重量％／カプセル壁１６重量％のメラミンホルムアルデヒド香料マイクロカプセル
２５グラムのブチルアクリレート−アクリル酸コポリマー乳化剤（Ｃｏｌｌｏｉｄ  Ｃ３５１、２５％固形分、ｐＫａ４．５〜４．７、Ｋｅｍｉｒａ  Ｃｈｅｍｉｃａｌｓ，Ｉｎｃ．Ｋｅｎｎｅｓａｗ、Ｇｅｏｒｇｉａ  Ｕ．Ｓ．Ａ．）を脱イオン水２００グラムに溶解させ、混合する。溶液のｐＨを、水酸化ナトリウム溶液でｐＨ４．０に調整する。部分メチル化メチロールメラミン樹脂（Ｃｙｍｅｌ  ３８５、８０％固形分（Ｃｙｔｅｃ  Ｉｎｄｕｓｔｒｉｅｓ  Ｗｅｓｔ  Ｐａｔｅｒｓｏｎ，Ｎｅｗ  Ｊｅｒｓｅｙ，Ｕ．Ｓ．Ａ．））８グラムを乳化剤溶液に添加する。機械的撹拌下で、前述の混合物に２００グラムの香油を添加し、温度を５０℃に上昇させる。安定な乳化剤が得られるまで高速で混合した後に、第２の溶液及び４グラムの硫酸ナトリウムをこの乳化剤に加える。この第２の溶液は、１０グラムのブチルアクリレート−アクリル酸コポリマー乳化剤（Ｃｏｌｌｏｉｄ  Ｃ３５１、２５％固形分、ｐＫａ４．５〜４．７、Ｋｅｍｉｒａ）、１２０グラムの蒸留水、ｐＨを４．８に調整するための水酸化ナトリウム溶液、２５グラムの部分メチル化メチロールメラミン樹脂（Ｃｙｍｅｌ  ３８５、８０％固形分、Ｃｙｔｅｃ）を含有する。この混合物を７０℃に加熱し、連続的に撹拌しながら一晩維持して、封入プロセスを完了させる。２３グラムのアセトアセトアミド（Ｓｉｇｍａ−Ａｌｄｒｉｃｈ（Ｓａｉｎｔ  Ｌｏｕｉｓ，Ｍｉｓｓｏｕｒｉ，Ｕ．Ｓ．Ａ））を懸濁液に添加する。７８０型Ａｃｃｕｓｉｚｅｒにより分析したときに３０μｍの平均カプセルサイズを得る。
【００７５】
実施例１Ｂ：ポリマー被覆した香料マイクロカプセル
実施例１Ａから得た９９ｇのメラミンホルムアルデヒド香料マイクロカプセルスラリー、１ｇのポリビニルホルムアミド［活性成分１６％、ＢＡＳＦ  ＡＧ（Ｌｕｄｗｉｇｓｈａｆｅｎ，Ｇｅｒｍａｎｙ）から商品名Ｌｕｐａｍｉｎ（登録商標）９０３０で市販］をガラスジャーに計量し、ポリマー被覆した香料マイクロカプセルを調製する。材料をスプーンで簡単に混ぜ、振盪機で更に一晩混合した。このようにして、ポリマー被覆したマイクロカプセルを得た。
【００７６】
実施例２：液体洗濯洗剤組成物の配合
【００７７】
【表１】
2017538009.tif 000009
【００７８】
【表２】
2017538009.tif 000010
ａ  Ｎｅｏｄｏｌ（登録商標）２５−７は、非イオン性界面活性剤としての、Ｓｈｅｌｌから入手可能な平均７モルのエチレンオキシドでエトキシ化されたＣ１２〜Ｃ１５アルコールである
ｂ  キレート剤としての、ジエチレントリアミン五酢酸五ナトリウム塩
ｃ  ＭＷｎが約６００であるＰＥＩ主鎖と、側鎖（ＥＯ）２０を有するポリエチレンイミンエトキシレート
ｄ  ＭＷｎが約６００であるＰＥＩ主鎖と、側鎖（ＥＯ）２４（ＰＯ）１６を有するポリエチレンイミンエトキシレート
ｅ  式（ＩＶ）の双性イオンヘキサメチレンジアミン
【００７９】
実施例２Ａ〜２Ｌの組成物の調製：
実施例２Ａ〜２Ｌの液体洗剤組成物を次の工程により調製した：
ａ）バッチ容器でＮａＯＨと水を合わせ、２００ｒｐｍのせん断力をかけて混合する；
ｂ）２００ｒｐｍのせん断力を加えて混合しつつ、このバッチ容器にクエン酸（加える場合）、ホウ酸（加える場合）、Ｃ１１〜Ｃ１３ＬＡＳ、及びＮａＯＨを加える；
ｃ）工程ｂ）で得られた混合物の温度を２５℃に放冷する；
ｄ）Ｃ１２〜１４ＡＥ１〜３Ｓ、Ｎａ−ＤＴＰＡ、Ｎｅｏｄｏｌ（登録商標）２５−７、Ｃ１２〜Ｃ１８脂肪酸、１，２プロパンジオール（加える場合）、Ｃ６〜Ｃ１５アルキルジメチルアミンオキシド（加える場合）、及び塩化カルシウム（加える場合）、クメンスルホン酸ナトリウム（加える場合）、シリコーンエマルジョン（加える場合）、ポリアクリル酸ナトリウム（加える場合）、（ＥＯ）２０（加える場合）の側鎖を有するポリエチレンイミンエトキシレート、（ＥＯ）２４（ＰＯ）１６の側鎖を有するポリエチレンイミンエトキシレート（加える場合）、式（ＩＶ）の双性イオンヘキサメチレンジアミン（加える場合）をバッチ容器に加え、２５０ｒｐｍのせん断力を加えて均質になるまで混合し、ｐＨ８に調整する；
ｅ）２５０ｒｐｍのせん断力を加えて混合しつつ、漂白剤（加える場合）、プロテアーゼ（加える場合）、アミラーゼ（加える場合）、染料（加える場合）、及び未加工の香料油（加える場合）をバッチ容器に加える；
ｆ）実施例１Ｂで得られた香料マイクロカプセルを加え、２５０ｒｐｍのせん断力を加えて１分間混合する；並びに
ｇ）モノエタノールアミン及び水添ヒマシ油をバッチ容器に加え、液体洗濯洗剤組成物を形成する。
このとき、組成物中の各成分は、表１の実施例２Ａ〜２Ｌに示す量で存在する。
【００８０】
実施例３：１回量（ＵＤ）製品に使用する液体洗剤組成物例
次の液体洗剤組成物を調製し、ポリビニルアルコールフィルムにより作製した多区画パウチに封入した。
【００８１】
【表３】
2017538009.tif 000011
【００８２】
すべての百分率、比率、及び割合は、特に指示がない限り、全組成物の重量を基準として計算される。すべての温度は、特に断らない限り、摂氏温度（℃）である。°特別の定めのない限り、測定はすべて２５℃で行われる。構成成分又は組成物の濃度はすべて、その構成成分又は組成物の活性レベルに関するものであり、市販の供給源に存在し得る不純物、例えば、残留溶媒又は副生成物は除外される。
【００８３】
本明細書の全体を通して記載されるすべての最大数値限定は、それよりも小さい数値限定を、そのようなより小さい数値限定があたかも本明細書に明確に記載されているものと同様にして包含するものと理解すべきである。本明細書全体を通して記載されるすべての最小数値限定は、それよりも高いすべての数値限定を、より高い数値限定が本明細書に明示的に記載されているかのように包含する。本明細書全体を通して与えられるすべての数値範囲は、そのようなより広い数値範囲内に入るより狭いすべての数値範囲を、そのような狭い数値範囲がすべて本明細書に明示的に記載されているかのように包含する。
【００８４】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ｍｍ」として開示される寸法は、「約４０ｍｍ」を意味するものとする。
【００８５】
あらゆる相互参照又は関連特許若しくは関連出願を含む、本明細書に引用されるすべての文献は、明確に除外ないしは別の方法で限定されない限り、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明すべてを教示、示唆、又は開示するとはみなされない。更に、本文書における用語の任意の意味又は定義が、参照することによって組み込まれた文書内の同じ用語の意味又は定義と競合する程度に、本文書におけるその用語に与えられた意味又は定義が適用されるものとする。
【００８６】
本発明の特定の実施形態を例示及び説明してきたが、本発明の趣旨及び範囲から逸脱せずに、他の様々な変更及び修正を行うことができることは当業者には明白であろう。したがって、本発明の範囲内に含まれるそのようなすべての変更及び修正は、添付の特許請求の範囲にて網羅することを意図したものである。
【国際調査報告】
2017538009.tif 000015
2017538009.tif 000016
2017538009.tif 000017